(57)【要約】【課題】  従来のものと比較して、新奇な趣向を有する指針式表示装置を提供する。【解決手段】  指針式表示装置において、回転量／速度の信号制御部に、指針３の移動量および移動速度を決定する処理を実行させる。すなわち、ベゼル１２が操作された場合、回転量／速度の信号制御部は、入力されたベゼル回転検知信号から、ベゼル１２の回転量が所定量よりも大きく、かつ、操作速度が所定速度よりも大きいか否かを判定する。そして、回転量が小さい、もしくは、回転速度が小さいと判定した場合では、指針３を１目盛り毎に、移動目標まで移動させる。一方、回転量が大きく、かつ、操作速度が大きいと判定した場合、指針３を、一度に大きく移動させる制御を行わせる。【選択図】        図９
2006226953.tif 000002
【特許請求の範囲】
【請求項１】
操作対象の操作動作内容を表示する表示部（２）が複数配置された文字盤（１）と、
前記複数の表示部（２）のいずれか１つを指すように駆動される指針部（３）と、
前記指針部（３）を駆動する駆動部（２６）と、
前記指針部（３）が所望の前記表示部（２、４）を指すように前記駆動部（２６）を作動させ、かつ、ユーザが前記操作対象を操作するための操作部（１２）と、
前記操作部（１２）の操作量に基づいて、前記指針部（３）を操作目標となる前記表示部（２）に移動させるように、前記駆動部（２６）を制御する制御部（５１、５２、５３、６０）とを備える指針式表示装置において、
前記制御部（５１、５２、５３、６０）は、前記操作部（１２）がユーザに操作されたときの操作量および操作速度に応じて、前記操作量に対する前記指針部（３）の移動量の割合と、前記指針部（３）の移動間隔とを変更させる制御を行うようになっていることを特徴とする指針式表示装置。
【請求項２】
操作対象の操作動作内容を表示する表示部（２）が複数配置された文字盤（１）と、
前記複数の表示部（２）のいずれか１つを指すように駆動される指針部（３）と、
前記指針部（３）を駆動する駆動部（２６）と、
前記指針部（３）が所望の前記表示部（２）を指すように前記駆動部（２６）を作動させ、かつ、ユーザが前記操作対象を操作するための操作部（１２）と、
前記操作部（１２）の操作量に基づいて、前記指針部（３）を移動目標の前記表示部（２）に移動させるように、前記駆動部（２６）を制御する制御部（５１、５２、５３）とを備える指針式表示装置において、
前記操作部（１２）から操作量および操作速度に関する信号が入力される入力手段（６１）と、
前記操作量および操作速度に関する信号が入力された場合に、前記操作量が所定量より大きく、かつ、前記操作速度が所定速度よりも大きいか否かを判定する判定手段（６２）と、
前記判定手段（６２）が、前記操作量が所定量より小さい、もしくは、前記操作速度が所定速度よりも小さいと判定した場合、前記指針部（３）を、最小設定間隔毎に、移動目標の前記表示部（２）まで移動させる旨の第１の信号を、前記制御部（５１、５２、５３）に向けて、出力する第１の出力手段（６４）と、
前記判定手段（６２）が、前記操作量が所定量より大きく、かつ、前記操作速度が所定速度よりも大きいと判定した場合、前記第１の信号と比較して、前記操作量に対する前記指針部（３）の移動量の割合を大きくし、かつ、前記指針部（３）を、前記最小設定間隔よりも大きな間隔で、移動目標の前記表示部（２）まで移動させる旨の第２の信号を、前記制御部（５１、５２、５３）に向けて、出力する第２の出力手段（６６）とを有することを特徴とする指針式表示装置。
【請求項３】
前記制御部は、前記駆動部（２６）に対して、前記指針部（３）の移動時における初期段階、移動途中段階、終期段階の速度において、前記初期段階および前記終期段階の速度を、前記移動途中段階の速度よりも遅くなるように、前記駆動部（２６）を制御するようになっていることを特徴とする請求項１または２に記載の指針式表示装置。
【請求項４】
前記操作部（１２）は、その内側が開口したリング形状であって、回転可能となっており、
前記操作部（１２）の前記内側に、前記文字盤（１）、前記複数の表示部（２）、前記指針部（３）が配置されていることを特徴とする請求項１ないし３のいずれか１つに記載の指針式表示装置。
【発明の詳細な説明】
【技術分野】
【０００１】
本発明は、指針式表示装置に関するものである。
【背景技術】
【０００２】
図１０（ａ）に従来の指針式表示装置を示す。図１０（ａ）は、指針式表示装置を自動車用空調装置の操作パネルに適用した例である。以下では、自動車用空調装置をカーエアコン、この操作パネルをエアコンパネルと呼ぶ。
【０００３】
この指針式表示装置は、エアコンパネルＰ１に配置された複数の表示器Ｍ１１、Ｍ１２、Ｍ１３および複数の操作スイッチＳＷ１、ＳＷ２、ＳＷ３を有している。複数の表示器Ｍ１１、Ｍ１２、Ｍ１３は、例えば、吹き出しの各種モード、送風ファン速度、温度というカーエアコンの操作動作内容を表示している。
【０００４】
ここで、図１０（ｂ）に、表示器Ｍ１１の拡大図を示す。表示器Ｍ１１は、いわゆるアナログメータで構成されている。すなわち、表示器Ｍ１１は、文字盤１に、送風の各種モードのイラスト２が表示されており、これらのイラスト２のいずれか１つが指針３で指し示されるようになっている。他の表示器Ｍ１２、１３も同様の構成となっており、文字盤１に表示された操作動作内容の文字やイラスト２のいずれか１つが、指針３で指し示されるようになっている。
【０００５】
また、複数の操作スイッチＳＷ１、ＳＷ２、ＳＷ３はシーソースイッチで構成されている。これらの操作スイッチＳＷ１、ＳＷ２、ＳＷ３は、それぞれ、複数の表示器Ｍ１１、Ｍ１２、Ｍ１３の下側に配置されており、それぞれ、吹き出しの各種モード、送風ファン速度、温度を変更操作するためのものである。ユーザがこれらの操作スイッチＳＷ１、ＳＷ２、ＳＷ３を押すことで、各表示器Ｍ１１、Ｍ１２、Ｍ１３の指針３が所望の文字やイラスト２を指し示すと共に、カーエアコンがその所望の操作動作を実行するようになっている（例えば、特許文献１参照）。
【特許文献１】特開２００２−７１３８９号公報
【発明の開示】
【発明が解決しようとする課題】
【０００６】
上記したエアコンパネルにおけるマニュアル操作時の指針３の挙動は、各操作スイッチＳＷ１、ＳＷ２、ＳＷ３の操作量に基づいて、所望の文字やイラスト２を指し示すように、単に、移動するだけであった。
【０００７】
このため、上記したエアコンパネルは、面白みに欠け、従来の他のエアコンパネルと比較して、新奇性がないものであった。
【０００８】
本発明は、上記点に鑑み、従来のものと比較して、新奇な趣向を有する指針式表示装置を提供することを目的とする。
【課題を解決するための手段】
【０００９】
上記目的を達成するため、請求項１に記載の発明では、制御部（５１、５２、５３、６０）が、操作部（１２）がユーザに操作されたときの操作量および操作速度に応じて、操作量に対する指針部（３）の移動量の割合と、指針部（３）の移動間隔とを変更させる制御を行うようになっていることを特徴としている。
【００１０】
これにより、例えば、ユーザが操作対象の操作動作内容の設定を微調整している場合では、指針部を最小設定間隔毎に移動させ、ユーザがその設定を大きく変更している場合では、指針部を最小設定間隔よりも大きな間隔で移動させることができる。このように、本発明によれば、指針部の動きをユーザの操作感覚に合わせることができ、指針式表示装置に新奇な趣向を持たせることができる。
【００１１】
また、請求項２に記載の発明では、入力手段（６１）と、判定手段（６２）と、第１の出力手段（６４）と、第２の出力手段（６６）とを有することを特徴としている。
【００１２】
ここで、入力手段（６１）は、操作部（１２）から操作量および操作速度に関する信号が入力されるものである。判定手段（６２）は、操作量および操作速度に関する信号が入力された場合に、操作量が所定量より大きく、かつ、操作速度が所定速度よりも大きいか否かを判定するものである。
【００１３】
また、第１の出力手段（６４）は、判定手段（６２）が、操作量が所定量より小さい、もしくは、操作速度が所定速度よりも小さいと判定した場合、指針部（３）を、最小設定間隔毎に、移動目標の表示部（２）まで移動させる旨の第１の信号を、制御部（５１、５２、５３）に向けて、出力するものである。
【００１４】
また、第２の出力手段（６６）は、判定手段（６２）が、操作量が所定量より大きく、かつ、操作速度が所定速度よりも大きいと判定した場合、第１の信号と比較して、操作量に対する指針部（３）の移動量の割合を大きくし、かつ、指針部（３）を、最小設定間隔よりも大きな間隔で、移動目標の表示部（２）まで移動させる旨の第２の信号を、制御部（５１、５２、５３）に向けて、出力するものである。
【００１５】
これにより、ユーザが操作対象の操作動作内容の設定を微調整している場合では、指針部を最小設定間隔毎に移動させ、ユーザがその設定を大きく変更している場合では、指針部を最小設定間隔よりも大きな間隔で移動させることができる。このように、本発明によれば、指針部の動きをユーザの操作感覚に合わせることができ、指針式表示装置に新奇な趣向を持たせることができる。
【００１６】
また、本発明において、ユーザが操作部を１段変更させる操作をした場合に、指針部を最小設定間隔毎に移動させる制御を行わせることで、ユーザは、操作対象の操作動作内容の設定を細く変更することが可能となる。
【００１７】
一方、ユーザが操作部を大きく速く動かした場合では、指針部を一度に大きく移動させる制御を行わせることで、ユーザが操作対象の操作動作内容の設定を大きく変更したい場合、ユーザは少ない操作量で、設定を大きく変更することが可能となる。このため、ユーザに対して軽快な操作感、小気味よさを感じさせることができる。
【００１８】
したがって、本発明によれば、指針式表示装置の操作性を向上させることができる。
【００１９】
また、請求項３に記載の発明では、制御部は、駆動部（２６）に対して、指針部（３）の移動時における初期段階、移動途中段階、終期段階の速度において、初期段階および終期段階の速度を、移動途中段階の速度よりも遅くなるように、駆動部（２６）を制御するようになっていることを特徴としている。
【００２０】
これにより、指針部が目標の表示部まで移動する際、滑らかに指針を移動させることができ、指針部の上品な動きを演出することができる。  
【００２１】
また、請求項４に示すように、例えば、操作部（１２）は、その内側が開口したリング形状であって、回転可能となっており、操作部（１２）の内側に、文字盤（１）、複数の表示部（２）、指針部（３）を配置された指針式表示装置に対して、上記した各請求項の発明を適用することができる。
【００２２】
なお、上記各手段の括弧内の符号は、後述する実施形態に記載の具体的手段との対応関係を示す一例である。
【発明を実施するための最良の形態】
【００２３】
（第１実施形態）
本実施形態では、指針式表示装置を車両のエアコンパネルに適用した場合を例として説明する。したがって、本実施形態では、カーエアコンが本発明の操作対象に相当する。図１に、本発明の第１実施形態における指針式表示装置の正面図を示す。
【００２４】
本実施形態の指針式表示装置は、表示器１１とダイアルノブ１２の配置が従来の指針式表示装置と異なるものであるが、基本的な構成は、従来の指針式表示装置と同じである。また、本実施形態の指針式表示装置は、指針３の動きおよびユーザの操作方法が、従来の指針式表示装置と異なっている。
【００２５】
図１に示すように、本実施形態の指針式表示装置は、３つの表示器１１と、３つの操作部としてのベゼルダイアルノブ１２と、４つの操作ボタン１３と、カバー１４とを有している。なお、以下では、ベゼルダイアルノブ１２をベゼル１２と呼ぶ。
【００２６】
ベゼル１２は内側が開口したリング形状である。なお、本実施形態では、後述するが、スモークレンズ２１がベゼル１２の内側に配置されている。このため、ベゼル１２の内側は、実際には開口していないが、スモークレンズ２１が透明であるため、ベゼル１２の内側が開口しているように視認される。
【００２７】
そして、各ベゼル１２の内側に、１つずつ表示器１１が配置されている。言い換えると、表示器１１の外周にベゼル１２が配置されている。このように配置された１つの表示器１１と１つのベゼル１２とを１組として、３組の表示器およびベゼル１２が、独立して、３つ存在している。
【００２８】
３つの表示器１１は、カーエアコンに関連する内容を表示するものである。３つの表示器１１は、文字盤１と、指針３とを有している。文字盤１には、文字やイラスト２、目盛り４が円弧状に配置されている。文字やイラスト２、目盛り４が本発明の表示部に相当する。
【００２９】
具体的には、図１中の左側に位置する表示器１１ａは、送風ファン速度に関連する情報を表示するものであり、文字盤１に、「ＯＦＦ」、「ＬＯ」、「１」、「２」、「ＨＩ」の文字２や、目盛り４が示されている。
【００３０】
図１中の中央に位置する表示器１１ｂは、吹き出しモードに関連する情報を表示するものであり、文字盤１に、「足元吹き出し」、「バイレベル吹き出し」、「頭部吹き出し」、「足元＋デフォッガ吹き出し」、「デフォッガ吹き出し」のイラスト２や目盛り４が示されている。
【００３１】
図１中の右側に位置する表示器１１ｃは、温度に関連する情報を表示するものであり、文字盤１に、温度を表す数字２や目盛り４が示されている。
【００３２】
ベゼル１２は、いわゆるダイアルスイッチの一部であり、ベゼル１２の中央を中心として、ベゼル１２の外周方向に沿って、その場で回転するようになっている。また、ベゼル１２は、文字盤１と独立して回転するようになっている。ベゼル１２がユーザによって操作されることにより、指針３が所望の文字やマーク２、目盛り４を指し、かつ、カーエアコンが所望の操作動作を実行する。
【００３３】
ここで、図２に、ベゼル１２の動きと指針３の動きとを説明するための図を示す。図２は、図１に対応する図であるが、操作ボタン１３を省略している。ベゼル１２は、図２中の実線の矢印で示すように、文字盤１に対して時計回りや、図２中の破線の矢印で示すように、反時計回りのどちらの方向にも回転可能となっている。
【００３４】
各表示器１１ａ、１１ｂ、１１ｃのベゼル１２は、図２に示すように、例えば、６０°ずつ回転するようになっている。すなわち、ベゼル１２は、図２に示すように、文字盤１の外周部に示された小さな円と、ベゼル１２に示された小さな円とが一致する位置で止まるようになっている。なお、これらの小さな円は、ここでの説明のために、図２中に便宜上示したものである。また、ベゼル１２の回転角度は、任意に設定可能である。
【００３５】
一方、各表示器１１ａ、１１ｂ、１１ｃの指針３については、吹き出しモードを表示する表示器１１ｂでは、ベゼル１２が操作された場合（マニュアル操作時）、指針３が、例えば６０°ずつ移動するようになっている。すなわち、ベゼル１２が６０°回転する毎に、指針３も６０°ずつ回転し、各吹き出しモードのマーク２を指し示すようになっている。
【００３６】
また、送風ファン速度を表示する表示器１１ａと温度を表示する表示器１１ｃでは、ベゼル１２が操作された場合、指針３が１目盛りずつ移動するようになっている。基本的には、ベゼル１２が６０°回転する毎に、指針３が最小設定間隔毎に、すなわち、１目盛りずつ、移動するようになっている。
【００３７】
また、図１に示すように、操作ボタン１３は、隣り合うベゼル１２同士の間に配置されている。操作ボタン１３は、カーエアコン（Ａ／Ｃ）設定用の操作ボタン１３ａ、自動送風設定用の操作ボタン１３ｂ、デフォッガの操作ボタン１３ｃ、エアー循環モード設定用の操作ボタン１３ｄである。操作ボタン１３は、上記した従来の操作ボタンＢ０〜Ｂ３と同様の構成であるため、説明を省略する。
【００３８】
そして、カバー１４によって、表示器１１、ベゼル１２、操作ボタン１３を除く領域が覆われている。
【００３９】
次に、指針式表示装置の機械的構成（内部構成）を説明する。図３、４、５に、それぞれ、図１中のＡ−Ａ線断面図、Ｂ−Ｂ線断面図、Ｃ−Ｃ線断面図を示す。図３、４では図中上側が、図５では図中左側が、指針式表示装置の前面側である。前面とはユーザに視認される面をいう。
【００４０】
本実施形態の指針式表示装置は、図３、５に示すように、ベゼル１２の内側において、指針式表示装置の前面側から、スモークレンズ２１、文字盤１、導光レンズ２２、指針３が順に配置されている。
【００４１】
文字盤１は導光レンズ２２と一体に成形されており、透明なアクリル樹脂からなる。文字盤１には文字やマーク２、目盛り４が透光性着色層として印刷されている。文字盤１のうち、これら透光性着色層を除く領域は透明とされている。このため、文字盤照明用ＬＥＤ２４および後述する指針照明用ＬＥＤ２８が点灯すると、文字盤１を通して、文字やマーク２、目盛り４、ならびに指針３が重畳した状態でこれらを視認できるようにされている。
また、導光レンズ２２も含めて文字盤１は、円形状となっている。これは、文字盤１が、筒状であるベゼル１２の内部に配置されているためである。
【００４２】
また、文字盤１は、ベゼル１２と別体であり、文字盤用ハウジング２３に固定されている。このように、文字盤１は、文字盤用ハウジング２３に固定されているため、ベゼル１２が回転しても、文字盤１は回転しない。
【００４３】
導光レンズ２２は、図５に示すように、文字盤照明用ＬＥＤ２４の光を文字盤１に導くものである。この導光レンズ２２、文字盤照明用ＬＥＤ２４により、文字盤１が照明されるようになっている。
【００４４】
文字盤照明用ＬＥＤ２４は、図４、５に示すように、第１の回路基板２５上に設けられている。第１の回路基板２５は、文字盤用ハウジング２３に固定されている。第１の回路基板２５には、図示しないが、照明用制御部としてのＩＣチップが設けられている。なお、文字盤照明用ＬＥＤ２４は、図５に示すように、指針３の下側に配置されている。
【００４５】
指針３は、透明なアクリル樹脂から構成されており、その先端からステップモータ２６との接続部の略全長に渡って透光性着色層が形成され、この着色層を除く領域は遮光層が形成されており、後述する指針照明用ＬＥＤ２８が点灯すると、この着色層が発光するようにされている。
【００４６】
指針３は、駆動部としてのステッパモータ２６の回転軸２６ａと接続されている。ステッパモータ２６により、指針３が駆動するようになっている。ステッパモータ２６は、ステッパモータ用の第２の回路基板２７上に設けられている。また、第２の回路基板２７には、図示しないが、駆動制御部としてのＩＣチップが設けられている。
【００４７】
また、指針３を照明する指針照明用ＬＥＤ２８は、指針３の裏側に配置されている。指針照明用ＬＥＤ２８は、第３の回路基板２９に固定されている。第３の回路基板２９は文字盤用ハウジング２３に固定されている。第３の回路基板２９には、図示しないが、照明制御部としてのＩＣチップが設けられている。
【００４８】
スモークレンズ２１は、ベゼル１２に固定されている。スモークレンズ２１は透過率を低く設定されており、文字盤１のＬＥＤ２４および指針３のＬＥＤ２８の点灯時には、その文字盤１の文字やマーク２、目盛４、ならびに指針３が視認され、それらの消灯時には文字盤１の文字やマーク２、目盛４、ならびに指針３が視認されないように文字盤１の全体がブラックフェースとなるように上記透過率が設定されている。なお、デザインの観点からスモークレンズ２１を省略することもできる。
【００４９】
ベゼル１２は、図３、５に示すように、ベゼル用ハウジング３０と、結合部３１を介して、結合されている。ベゼル用ハウジング３０は、ロータリースイッチ３２と接続されている。ベゼル１２が回ることで、ベゼル用ハウジング３０を介して、ロータリースイッチ３２の切り替えが行われるようになっている。
【００５０】
ロータリースイッチ３２は、ロータリースイッチ用の第４の回路基板３３上に配置されている。第４の回路基板３３には、図示しないが、ベゼル１２の位置を読み込むＩＣチップが設けられている。ロータリースイッチ３２としては、例えば、コードスイッチなどの絶対位置信号出力スイッチや、ベゼル１２の回転に伴って、抵抗値が変動する可変抵抗器を備えるスイッチや、その可変抵抗器に加えて、スイッチング素子を備えるスイッチを用いることもできる。
【００５１】
また、ロータリースイッチ３２には、図示しないが、節度機構が設けられている。これにより、ユーザは、ベゼル１２を、例えば６０°ずつ回転させたときに、節度感を感じることができ、設定を１つ変更させたことを実感することができる。
【００５２】
次に、本実施形態の指針式表示装置の電気的構成を説明する。図６に、指針式表示装置のブロック図を示す。
【００５３】
上記したように、本実施形態の指針式表示装置は、文字盤１、指針３、駆動部としてのステッパモータ２６、文字盤照明用ＬＥＤ２４、指針照明用ＬＥＤ２８、ベゼル１２、読み込みスイッチとしてのロータリースイッチ３２とを備えている。
【００５４】
その他に、この指針式表示装置は、図６に示すように、駆動制御部５１、駆動信号制御部５２、空調信号制御部５３、回転量／速度の信号制御部６０、照明制御部５４を有している。なお、本実施形態と本発明の対応関係において、駆動制御部５１、駆動信号制御部５２、空調信号制御部５３が本発明の制御部に相当する。
【００５５】
また、駆動制御部５１は、上記した第２の回路基板２７上に設けられたＩＣチップである。駆動信号制御部５２、空調信号制御部５３および回転量／速度の信号制御部６０は、上記した第４の回路基板３３上に設けられたＩＣチップである。照明制御部５４は、上記した第１の回路基板２５、第３の回路基板２９上に設けられたＩＣチップである。
【００５６】
照明制御部５４は、文字盤照明用ＬＥＤ２４、指針照明用ＬＥＤ２８の作動を制御するものである。車両信号制御部５５から入力された信号に基づいて、文字盤照明用ＬＥＤ２４、指針照明用ＬＥＤ２８に対して、作動指示信号を出力するようになっている。このときの車両信号制御部５５から入力される信号とは、例えば、インストルメントパネルの照明がどれくらいの明るさであるかの信号である。
【００５７】
駆動制御部５１は、指針３が所定の文字やイラスト２を指し示すように、ステッパモータ２６を制御するものである。駆動制御部５１は、駆動信号制御部５２から入力された駆動信号に基づいて、ステッパモータ２６に対して駆動指示信号を出力するようになっている。
【００５８】
駆動信号制御部５２は、駆動制御部５１を作動させるか否かの制御を行うところである。駆動信号制御部５２は、空調信号制御部５３および車両に別途搭載されている車両信号制御部５５から入力された信号に基づいて、駆動制御部５１に対して駆動信号を出力するようになっている。このときの車両信号制御部５５から入力される信号とは、例えば、ＩＧスイッチがオンであるか否かの信号である。
【００５９】
また、駆動信号制御部５２は、スピードメータ等のメータを制御するメータ制御部５６に信号を出力したり、メータ制御部５６から信号が入力されたりするようになっている。なお、メータ制御部５６は、車両信号制御部５５から車速信号等が入力されるようになっている。
【００６０】
空調信号制御部５３は、回転量／速度の信号制御部６０から入力された指針３の移動目標位置に関する信号に基づき、車両に搭載されたエアコンシステム５７を制御する空調制御部５８に対して、所定の制御を行うように、空調信号を出力するものである。
【００６１】
また、空調信号制御部５３は、回転量／速度の信号制御部６０から入力された信号に基づき、指針３を駆動させるため、駆動信号制御部５２に対して、制御信号を出力するようになっている。
【００６２】
また、空調信号制御部５３は、空調制御部５８から制御信号が入力されるようになっている。これは、空調制御部５８が自動でエアコンシステム５７を制御している場合に、その制御に応じて、指針３を駆動させるためである。なお、空調信号制御部５３は、ロータリースイッチ３２からの信号が入力された場合、その信号を、空調制御部５８から入力された制御信号よりも、優先するようになっている。
【００６３】
回転量／速度の信号制御部６０は、後述するように、指針３の移動量および移動速度を決定する処理を行うところである。
【００６４】
ここで、この指針３の移動量とは、ベゼル１２の回転量（操作部の操作量）に対する指針３の移動量の割合である。例えば、ベゼル１２が４ステップ分回転された場合、指針３を４ステップ移動させるのか、指針を８ステップ移動させるかが決定される。なお、ベゼル１２を１ステップ回転させるとは、ベゼル１２を回転させたときの１クリック、すなわち、例えば、６０°回転させることを意味する。また、指針３の１ステップ移動とは、指針３が文字やイラスト２、目盛り４の１目盛り分移動することを意味する。
【００６５】
一方、指針３の移動速度とは、指針３が現在の位置から目標位置まで移動する際の指針３の速度である。指針３を目標位置まで、停止させることなく、連続的に移動させるのか、指針３を目標位置まで、目盛り毎に指針を停止させながら、断続的に移動させるのかが決定される。したがって、ここでいう指針３の移動速度は、指針３が一度に移動する移動間隔と同義である。
【００６６】
言い換えると、回転量／速度の信号制御部６０は、ベゼル１２のステップ数と指針３の移動ステップ数とを一致させ、かつ、指針３を１ステップずつ小刻みに移動させるか、指針３が移動するステップ数をベゼル１２のステップ数よりも多くし、かつ、指針３を一度に大きく移動させるかを決定するところである。
【００６７】
また、回転量／速度の信号制御部６０は、ロータリースイッチ３２からベゼル回転検知信号が入力されるようになっている。この回転検出信号は、ベゼル１２の回転量とその回転速度を内容とする信号であり、例えば、パルス信号もしくは電圧等のボリューム信号である。この回転検出信号により、回転量／速度の信号制御部６０は、ユーザによって操作されたベゼル１２の回転量および回転速度を検知する。
【００６８】
そして、回転量／速度の信号制御部６０は、入力されたベゼル回転検知信号に基づいて、指針３の移動量および移動速度を決定し、指針３の移動量および移動速度に関する信号と、指針３の移動目標位置に関する信号とを空調信号制御部５３に対して出力するようになっている。
【００６９】
次に、回転量／速度の信号制御部６０が実行する指針３の移動量および移動速度の決定処理について説明する。図７に、回転量／速度の信号制御部６０が実行する指針３の移動量および移動速度の決定処理のフローチャートを示す。また、図８に、ベゼル回転検知信号と、指針３の移動量および移動速度との関係を示す。
【００７０】
なお、この処理は、マニュアル操作時に実行されるものである。また、以下のステップと本発明との対応関係においては、ステップ６１、ステップ６２、ステップ６４、ステップ６６が、それぞれ、本発明の入力手段、判定手段、第１の出力手段、第２の出力手段に相当する。
【００７１】
図７に示すように、ステップ６１では、ロータリースイッチ３２からベゼル回転検知信号が入力される。
【００７２】
そして、ステップ６２では、ベゼル１２の回転量が所定量よりも大きく、かつ、操作速度が所定速度よりも大きいか否か判定される。例えば、ベゼル１２の回転速度が３ステップ／秒以下であるか否かが判定される。３ステップ／秒以下とは、回転検知信号がパルス信号の場合では、１秒間のパルス数が３以下のことである。このステップでの判定結果により、ベゼル１２の回転量に対する指針３の移動量の割合が決定される。
【００７３】
そして、ベゼル１２の回転速度が３ステップ／秒以下である（ＹＥＳ）と判定された場合、ステップ６３に進む。３ステップ／秒以下の場合の例としては、ベゼル１２の回転量が１ステップ、２ステップ等のように、小さい場合や、ベゼル１２の回転速度が遅い場合が該当する。
【００７４】
続いて、ステップ６３では、さらに、ベゼル１２の回転速度が速いか否かが判定される。すなわち、ベゼル１２が次のステップに移動するまでにかかった時間が、例えば、０．３３秒以内であったか否かが判定される。    
【００７５】
そして、次のステップに０．３３秒以内に移動しなかったと判定された場合（ＮＯの場合）、ステップ６４に進む。
【００７６】
ステップ６４では、指針３を１ステップずつ移動させる旨の決定およびその旨の信号の出力がされる。この信号が本発明の第１の信号に相当する。
【００７７】
具体的には、ベゼル１２の回転量に対する指針３の移動量の割合に関して、ベゼル１２のステップ数と、指針３が移動するステップ数とを一致させる。例えば、図８（ａ）に示すように、ベゼル１２の操作量が３ステップの場合、指針３の移動量も３ステップとする。
【００７８】
また、指針３の移動速度に関しては、図８（ａ）に示すように、指針３が１ステップ移動する毎に指針３を停止させ、指針３を断続的に移動させる。さらに、指針３の移動速度を、指針３の移動初期では徐々に速く、指針３の移動途中では一定の速度、指針３の移動終期では徐々に遅くする旨の決定がされる。そして、この旨の信号が空調信号制御部５３に向けて出力される。
【００７９】
これにより、例えば、ベゼル１２の操作量が３ステップの場合、指針３は、１ステップずつ断続的に３ステップ移動することとなる。
【００８０】
一方、ステップ６３で、次のステップに０．３３秒以内に移動したと判定された場合（ＹＥＳの場合）、ステップ６５に進む。続いて、ステップ６５では、指針３をステップ毎に多少減速しながらも連続的に動かす旨の決定およびその旨の信号の出力がされる。
【００８１】
具体的には、ステップ６４と同様に、ベゼル１２の回転量に対する指針３の移動量の割合に関して、ベゼル１２のステップ数と、指針３が移動するステップ数とを一致させる。
【００８２】
ただし、指針３の移動速度に関しては、ステップ６４と異なり、図８（ｂ）に示すように、ステップ毎に停止させずに、連続的に指針３を移動させる。また、この場合も、指針３の移動速度を、指針３の移動初期では徐々に速く、指針３の移動途中では一定の速度、指針３の移動終期では徐々に遅くするが、指針３の移動途中では、各ステップの終期段階で減速し、次のステップの初期段階で加速させる旨の決定がされる。そして、この旨の信号が空調信号制御部５３に向けて出力される。
【００８３】
これにより、例えば、ベゼル１２の操作量が３ステップの場合、指針３はステップ毎に多少減速しながらも連続的に３ステップ移動することとなる。
【００８４】
また、ステップ６２で、ベゼル１２の回転速度が４ステップ／秒以上である（ＮＯ）と判定された場合、ステップ６６に進む。なお、ベゼル１２の回転量が多く、かつ、ベゼル１２の回転速度が速い場合、４ステップ／秒以上となる。
【００８５】
続いて、ステップ６６では、指針３を大きく一度に動かす旨の決定およびその旨の信号の出力がされる。この信号が本発明の第２の信号に相当する。
【００８６】
具体的には、ベゼル１２の回転量に対する指針３の移動量の割合に関して、指針３が移動するステップ数を、ベゼル１２のステップ数よりも多くする。例えば、図８（ｃ）に示すように、ベゼル１２の操作量が４ステップの場合、指針３の移動量を、その倍の８ステップとする。
【００８７】
また、指針３の移動速度に関しては、図８（ｃ）に示すように、指針３を連続的に移動させ、かつ、指針３の移動速度を、指針３の移動初期では徐々に速く、指針３の移動途中では一定の速度、指針３の移動終期では徐々に遅くする旨の決定がされる。そして、この旨の信号が空調信号制御部５３に向けて出力される。
【００８８】
これにより、例えば、ベゼル１２の操作量が４ステップの場合、指針３は、８ステップ分を一度に移動することとなる。なお、空調制御部５８も、制御内容を８ステップ分変更することとなる。
【００８９】
次に、このように構成された指針式表示装置全体の基本的作動について説明する。ここでは、まず、図２に示すように、ユーザが温度を「１９℃」から「２０℃」に切り替える操作をする場合を説明する。
【００９０】
ユーザは、表示器１１ｃのベゼル１２を、図２中の実線で示す矢印のように、時計回りの方向、すなわち、右方向に６０°回転させる。これにより、ロータリースイッチ３２から回転量／速度の信号制御部６０に、ベゼル回転検知信号が入力される（ステップ６１）。
【００９１】
そして、回転量／速度の信号制御部６０で、指針３の移動量および移動速度の決定処理が実行される。この場合、ベゼル１２は１ステップのみ回転しているので、ステップ６２で、ベゼル１２の回転速度が３ステップ／秒以下であると判定される。さらに、ステップ６３で、次のステップに０．３３秒以内に移動していないと判定された場合、ステップ６４で、指針３を１ステップずつ、すなわち、温度を１℃動かす旨の決定および信号が出力される。
【００９２】
この信号を受けて、空調信号制御部５３は、空調制御部５８に対して、温度を１℃変更する旨の空調信号を出力する。これにより、エアコンシステム５７は、空調制御部５８に制御され、温度設定を２０℃とする。
【００９３】
また、このとき、空調信号制御部５３は、駆動信号制御部５２に対して、指針３が「２０℃」を指し示すように、制御信号を出力する。
【００９４】
そして、駆動信号制御部５２は、この制御信号を受けた後、車両信号制御部５５から入力された信号に基づいて、駆動制御部５１を駆動させてもよいか否かを判定する。その結果、駆動信号制御部５２が駆動制御部５１を駆動させても良いと判定した場合に、駆動信号制御部５２は、駆動制御部５１に対して、指針３が「２０℃」を指し示すように、駆動信号を出力する。
【００９５】
駆動制御部５１は、この駆動信号を受けて、ステッパモータ２６に駆動指示信号を出力する。これにより、ステッパモータ２６を介して、指針３が駆動し、指針３が「２０℃」を指し示す。このようにして、温度が「１９℃」から「２０℃」に切り替えられる。
【００９６】
次に、ユーザが温度を、例えば、「３２℃」から「２０℃」に切り替える操作をする場合を説明する。図９に、このときの指針式表示装置の正面図を示す。
【００９７】
ユーザは、表示器１１ｃのベゼル１２を、図９中の外側に示す矢印のように、反時計回りの方向、すなわち、左方向に大きく、３６０°（６ステップ分）回転させる。これにより、ロータリースイッチ３２から回転量／速度の信号制御部６０に、ベゼル回転検知信号が入力される（ステップ６１）。
【００９８】
そして、回転量／速度の信号制御部６０で、指針３の移動量および移動速度の決定処理が実行される。この場合、ベゼル１２は６ステップ分回転しており、速く回転されていれば、ステップ６２で、ベゼル１２の回転速度が４ステップ／秒以上であると判定される。このため、ステップ６６で、指針３を大きく、すなわち、温度を１２ステップ分、一度に動かす旨の決定および信号が出力される。
【００９９】
その後は、上記と同様に作動し、エアコンシステム５７は、空調制御部５８に制御され、温度設定を２０℃とする。一方、ステッパモータ２６が指針３を駆動させ、指針３が「３２℃」から「２０℃」まで移動する。このとき、図９に示すように、指針３は、初期段階では徐々に加速し、途中段階で一定速度となり、終期段階では徐々に減速して移動する。このようにして、温度が「３２℃」から「２０℃」に切り替えられる。
【０１００】
なお、ここでは、温度設定の変更を例として説明したが、風量設定の変更の場合についても同様である。
【０１０１】
次に、本実施形態の主な特徴を説明する。
【０１０２】
（１）本実施形態では、回転量／速度の信号制御部６０は、指針３の移動量および移動速度を決定する処理を実行するようになっており、ステップ６１で、ロータリースイッチ３２からベゼル回転検知信号が入力された場合、ステップ６２で、ベゼル１２の回転量が所定量よりも大きく、かつ、操作速度が所定速度よりも大きいか否かを判定している。
【０１０３】
そして、ベゼル１２の回転速度が３ステップ／秒以下であると判定した場合、回転量／速度の信号制御部６０は、ステップ６４、６５で、ベゼル１２のステップ数と、指針３が移動するステップ数とを一致させる旨の決定を行い、その旨の信号を出力する。
【０１０４】
一方、ベゼル１２の回転速度が４ステップ／秒以上であると判定した場合、回転量／速度の信号制御部６０は、ステップ６６で、指針３を大きく一度に動かす旨の決定を行い、その旨の信号を、空調信号制御部５３に、出力するようになっている。
【０１０５】
そして、その信号に基づいて、空調信号制御部５３、駆動信号制御部５２、駆動制御部５１が、指針３を駆動させるようになっている。
【０１０６】
このため、例えば、ユーザが温度設定を微調整するため、ベゼル１２をゆっくりもしくは少しずつ回転させている場合では、指針３を１ステップずつ移動させ、逆に、ユーザが温度設定を大きく変更するため、ベゼル１２を速く大きく回転させている場合では、指針３を、ベゼル１２が操作されたステップ数の倍の数のステップ数変更させることができる。
【０１０７】
このように、回転量／速度の信号制御部６０および空調信号制御部５３、駆動信号制御部５２、駆動制御部５１に対して、ベゼル１２がユーザに操作されたときの回転量および回転速度に応じて、ベゼル１２の回転ステップ数に対する指針３の移動ステップ数の割合と、指針３の移動間隔とを変更させているので、指針式表示装置に新奇な趣向を持たせることができる。
【０１０８】
すなわち、ユーザがベゼル１２を速く大きく回転させている場合では、指針３を一度に大きく移動させているので、本実施形態の指針式表示装置によれば、指針３の動きをユーザの操作感覚に合わせることができる。
【０１０９】
また、本実施形態では、ユーザがベゼル１２を１ステップ回転させた場合、回転量／速度の信号制御部６０および空調信号制御部５３、駆動信号制御部５２、駆動制御部５１が、指針３を１目盛りずつ移動させる制御を行うので、ユーザは、温度設定を細く変更することが可能となる。
【０１１０】
一方、ユーザがベゼル１２を大きく速く回転させた場合、回転量／速度の信号制御部６０および空調信号制御部５３、駆動信号制御部５２、駆動制御部５１が、指針３を一度に大きく移動させる制御を行うので、ユーザが温度設定を大きく変更したい場合、ユーザは少ない操作量で、設定を大きく変更することが可能となる。このため、ベゼル１２をたくさん回転しなければならないという煩わしさを解消できるため、ユーザに対して軽快な操作感、小気味よさを感じさせることができる。
【０１１１】
例えば、図９に示すように、ユーザが温度を「３２℃」から「２０℃」に大きく変える操作をする場合では、ベゼル１２を１２ステップ回転させなくても、ベゼル１２をその半分の６ステップ分速く回転させるだけで、指針３を「３２℃」から「２０℃」に変更させることができ、かつ、空調制御部５８に対して、温度設定を２０℃に変更させることができる。
【０１１２】
また、このとき、ユーザがベゼル１２を７ステップ分速く回転させ、指針３の位置が「１８℃」となり、「２０℃」からずれてしまった場合であっても、ユーザは、ベゼル１２をゆっくりと２ステップ分回転させることで、指針３を１目盛りずつ移動させ、指針３を「２０℃」の位置に移動させることができる。
【０１１３】
したがって、本実施形態によれば、指針式表示装置の操作性を向上させることができる。
【０１１４】
（２）本実施形態では、回転量／速度の信号制御部６０は、各ステップ６３、６４、６６で、指針３の移動速度を、指針３の移動速度を、指針３の移動初期では徐々に速く、指針３の移動途中では一定の速度、指針３の移動終期では徐々に遅くする旨の決定を行い、その旨の信号を出力している。
【０１１５】
このように、指針３が移動するとき、駆動制御部５１、駆動信号制御部５２、空調信号制御部５３によって、初期段階および終期段階の速度を、移動途中段階の速度よりも遅くなるようにしているので、目標表示部まで、指針３を滑らかに移動させることができ、指針３の上品な動きを演出することができる。
【０１１６】
例えば、図９に示すように、ユーザが温度を「３２℃」から「２０℃」に大きく変える操作をした場合では、「３２℃」近辺では指針３はゆっくり動き出し、「２５℃」近辺では指針３は一定の速度で移動し、「２０℃」近辺では指針３はゆっくりと減速する。
【０１１７】
なお、図９に示すように、送風ファン速度を、「ＨＩ」から「ＯＦＦ」に変更させる場合も、上記した温度変更の場合と同様に、操作することができる。
【０１１８】
（３）本実施形態では、回転量／速度の信号制御部６０は、ステップ６２で、ベゼル１２の回転速度が３ステップ／秒以下であると判定した場合、さらに、ステップ６３で、ベゼル１２が次のステップに移動するまでにかかった時間が、例えば、０．３３秒以内であったか否かを判定している。そして、ＹＥＳの場合、ステップ６５で、指針３をステップ毎に多少減速しながらも連続的に動かす旨の決定を行い、その旨の信号を出力している。
【０１１９】
このため、例えば、ベゼル１２の操作量が３ステップの場合、指針３はステップ毎に多少減速しながらも連続的に３ステップ移動する。
【０１２０】
このように、ベゼル１２のステップ数と、指針３が移動するステップ数とを一致させる場合でも、ベゼル１２の１ステップ毎の速度が所定速度よりも速い場合では、指針３を連続的に移動させていることから、本実施形態の指針式表示装置によれば、指針３の動きをユーザの操作感覚に合わせることができる。
【０１２１】
（他の実施形態）
（１）上記した実施形態では、リング状のベゼル１２の内側に、文字盤１や指針３からなる表示器１１が配置されている場合を例として説明したが、この場合に限らず、表示器１１とダイアルノブ１２とを離間して配置することもできる。
【０１２２】
（２）上記した実施形態では、操作部としてベゼル１２を用いる場合を例として説明したが、ベゼル１２以外の他の操作部を用いることもできる。例えば、図１０に示すような操作スイッチＳＷ１〜３、すなわち、シーソースイッチを用いることができる。
【０１２３】
（３）上記した実施形態では、本発明を車両のエアコンパネルに適用した場合を例として説明したが、オーディオ、カメラ等の操作パネルに対して本発明を適用することもできる。
【図面の簡単な説明】
【０１２４】
【図１】本発明の第１実施形態における指針式表示装置の正面図である。
【図２】図１に示す指針式表示装置において、ベゼル１２の動きと指針３の動きとを説明するための図である。
【図３】図１中のＡ−Ａ線断面図である。
【図４】図１中のＢ−Ｂ線断面図である。
【図５】図１中のＣ−Ｃ線断面図である。
【図６】本発明の第１実施形態における指針式表示装置の構成を示すブロック図である。
【図７】図６中の回転量／速度の信号制御部６０が実行する指針３の移動量および移動速度を決定する処理のフローチャートである。
【図８】ロータリースイッチ３２が出力するベゼル回転検知信号と、指針３の移動量および移動速度との関係を示す図である。
【図９】本発明の第１実施形態における指針式表示装置の正面図である。
【図１０】（ａ）は従来の指針式表示装置の正面図であり、（ｂ）は（ａ）中の表示器Ｍ１１の拡大図である。
【符号の説明】
【０１２５】
１…文字盤、２…文字やイラスト、３…指針、４…目盛り、
１１…表示器、１２…ベゼルダイアルノブ、１３…操作ボタン、１４…カバー、
２１…スモークレンズ、２２…導光レンズ、２３…文字盤用ハウジング、
２４…文字盤照明用ＬＥＤ、２５…第１の回路基板、２６…ステッパモータ、
２７…第２の回路基板、２８…指針照明用ＬＥＤ、２９…第３の回路基板、
３０…ベゼル用ハウジング、３１…結合部、３２…ロータリースイッチ、
３３…第４の回路基板。
【図１】
2006226953.tif 000003
【図２】
2006226953.tif 000004
【図３】
2006226953.tif 000005
【図４】
2006226953.tif 000006
【図５】
2006226953.tif 000007
【図６】
2006226953.tif 000008
【図７】
2006226953.tif 000009
【図８】
2006226953.tif 000010
【図９】
2006226953.tif 000011
【図１０】
2006226953.tif 000012